(57)【要約】  エア源以外の動力を一切使用することなく、飼育水を効率よく循環させることができるとともに、飼育水の浄化、酸素供給、および飼育水の加温を、効率よく行うことができるようにした水産物の養殖装置を提供する。  エアレーション装置１４により浄化槽１内に供給した空気によって、浄化槽１内の飼育水７とフローティング瀘材１８を上昇、攪拌させ、飼育水７を、仕切壁４の上部の開口８と下部の開口９を通して、育成槽３内に循環させ、エアリフト装置１９により吸い上げた飼育水７とスラジ１０とを、濾過手段３０に供給し、濾過手段３０において、スラジ１０を除去して、飼育水７のみを自然落下させて、浄化槽１内に戻すようにする。
2016163006.tif 000002
【特許請求の範囲】
【請求項１】
浄化槽と、
底面が、前記浄化槽の底部に向かって下向き傾斜する育成槽と、
前記浄化槽と育成槽とを仕切り、かつ上下部に、両槽内の飼育水の流通を可能とする開口が設けられた仕切壁と、
前記仕切壁の上下の開口に設けられたネットと、
前記浄化槽内に配設された、前記ネットの目より粗いフローティング瀘材と、
前記浄化槽内の下部にエアを供給することにより、前記浄化槽内の飼育水とフローティング瀘材とを上昇、攪拌させるとともに、前記飼育水を、前記仕切壁の上部の開口を通して、前記浄化槽から育成槽へ、また前記仕切壁の下部の開口を通して、前記育成槽から浄化槽へ循環させるエアレーション装置と、
下端が前記浄化槽内の底部近くに達するようにして前記浄化槽内に配設されたエアリフト管、およびこのエアリフト管内の下端部または中間部よりエアをエアリフト管内に供給するエア供給手段を有し、前記エアリフト管内に供給したエアの上昇により、浄化槽内の飼育水とともに、飼育水に含まれるスラジをも上昇させるエアリフト装置と、
前記エアリフト装置におけるエアリフト管より吸い上げられたスラジを含む飼育水からスラジを除去し、飼育水のみを前記浄化槽または育成槽に戻す濾過手段
とを備えることを特徴とする水産物の養殖装置。
【請求項２】
濾過手段を、堆積したスラジが、傾斜に沿って落下するようにした傾斜式フィルタを備えるものとした請求項１記載の水産物の養殖装置。
【請求項３】
濾過手段を、エアリフト装置におけるエアリフト管の上端に接続した水平管より下方、かつ浄化槽内の水位より上方に配設し、前記エアリフト管より吸い上げたスラジを含む飼育水を、水平管より前記濾過手段に自然落下により供給し、前記濾過手段においてスラジが除去された飼育水を、浄化槽内に自然落下により供給するようにした請求項１または２記載の水産物の養殖装置。
【請求項４】
濾過手段に、スラジが除去された飼育水を殺菌する殺菌装置を設けた請求項１〜３のいずれかに記載の水産物の養殖装置。
【請求項５】
浄化槽内におけるエアリフト管の下端より上方に、前記エアリフト管が貫通し、かつ外側方に向かって下向き傾斜する瀘材架台を配設し、前記瀘材架台の外端と浄化槽の内面との間に、フローティング瀘材が通過するのを阻止しうる程度の網目としたネットを架設した請求項１〜４のいずれかに記載の水産物の養殖装置。
【請求項６】
浄化槽内および／または育成槽内に、槽内を複数の小室に区分する１枚または複数の仕切板を設けた請求項１〜５のいずれかに記載の水産物の養殖装置。 
【発明の詳細な説明】
【技術分野】
【０００１】
本発明は、魚類、甲殻類、貝類その他の水産物の養殖装置に関する。
【背景技術】
【０００２】
魚介類の養殖装置には、多種多様のものがあるが、魚介類を飼育する飼育水槽とは別に浄化槽（ろ過槽）を設け、飼育水槽内の飼育水を、ポンプを設けた循環経路により、循環させて、飼育水槽内の飼育水を浄化するようにしたものが多い（例えば、特許文献１参照）。【０００３】
また、魚介類を飼育する水槽内にエアリフト装置（気液混合水流発生装置）を設け、これにより、水槽内の底部に堆積した固形分を、飼育水や空気とともに吹き上げ、次いでろ過装置や遠心分離機等により、固形分を除去し、飼育水を水槽に戻すようにしたものや（例えば、特許文献２および３参照）、ろ過材として、流動担体瀘材、すなわちバイオフィルタを用いたもの（例えば、特許文献４参照）もある。
【先行技術文献】
【特許文献】
【０００４】
【特許文献１】特開２００３−０９２９５３号公報
【特許文献２】特開２００６−２１７８２２号公報
【特許文献３】特開２０１３−２４０２９６号公報
【特許文献４】特開２０１２−２３９４１４号公報
【発明の概要】
【発明が解決しようとする課題】
【０００５】
特許文献１に記載されているものにおいては、ポンプ等の動力により、飼育水槽内の飼育水を、浄化槽に循環させるようにしているので、多量の電力を必要とし、特許文献２および３に記載されているものにおいては、エアリフトにより汲み上げた固形分を含む飼育水をろ過装置に通して、固形分を除去するだけであるので、それだけでは、飼育水に溶け込んだアンモニア等の可溶性有害物質を除去することはできない。
因みに、引用文献３に記載されているものにおいては、懸濁物フィルタを通った海水を、第二生簀に供給し、これに、アンモニア等の可溶性有害物質を、海藻類の養分として吸着させるようにしている。【０００６】
特許文献４には、タワー槽内において、バイオフィルタを構成する流動担体瀘材をエアレーションにより流動させて、飼育水の浄化を図るようにした水処理装置が記載されているが、それだけでは浄化が十分でないため、養殖池の他に、表面に多数の小孔を有するガラス発泡濾過材を積層してなる生物濾過材を収容した補助濾過槽を設け、それによって浄化した飼育水を、エアリフト装置によって、養殖池に戻すようにしている。
因みに、この特許文献４に記載されているものにおいては、養殖池１の底部５近辺に漂う魚の残餌や糞などの浮遊物は、水の移動とともに徐々に傾斜下部に集まる（特許文献４の段落００２１）とされているが、タワー槽１０の外側には、第２エアー噴出器３２が設置されているので（同段落００２０）、タワー槽１０の近くまで集まってきた上記浮遊物は、この第２エアー噴出器３２より噴出するエアーにより上昇させられて、取水口８より取り出されることなく、養殖池１内を繰り返し循環させられるという問題がある。【０００７】
以上のように、従来、種々の飼育水の浄化装置が提供されているが、それら単独では、次の４つの要素をすべて満足しうるものはなかった。
（１）エア源以外の特別な動力を用いることなく、飼育水の循環を行う。
（２）効率よく飼育水の浄化を行う。
（３）飼育水に効率よく酸素供給を行う。
（４）飼育水の加温を効率よく行う。【０００８】
本発明は、従来の技術が有する上記のような問題点に鑑み、エア源以外の動力を一切使用することなく、飼育水を効率よく循環させることができるとともに、飼育水の浄化、酸素供給、および飼育水の加温を、効率よく行うことができ、もって上記の４つの要素をすべて満足しうるようにした水産物の養殖装置を提供することを目的としている。
【課題を解決するための手段】
【０００９】
本発明によると、上記課題は、次のようにして解決される。
（１）浄化槽と、底面が、前記浄化槽の底部に向かって下向き傾斜する育成槽と、
前記浄化槽と育成槽とを仕切り、かつ上下部に、両槽内の飼育水の流通を可能とする開口が設けられた仕切壁と、前記仕切壁の上下の開口に設けられたネットと、前記浄化槽内に配設された、前記ネットの目より粗いフローティング瀘材と、前記浄化槽内の下部にエアを供給することにより、前記浄化槽内の飼育水とフローティング瀘材とを上昇、攪拌させるとともに、前記飼育水を、前記仕切壁の上部の開口を通して、前記浄化槽から育成槽へ、また前記仕切壁の下部の開口を通して、前記育成槽から浄化槽へ循環させるエアレーション装置と、下端が前記浄化槽内の底部近くに達するようにして前記浄化槽内に配設されたエアリフト管、およびこのエアリフト管内の下端部または中間部よりエアをエアリフト管内に供給するエア供給手段を有し、前記エアリフト管内に供給したエアの上昇により、浄化槽内の飼育水とともに、飼育水に含まれるスラジをも上昇させるエアリフト装置と、前記エアリフト装置におけるエアリフト管より吸い上げられたスラジを含む飼育水からスラジを除去し、飼育水のみを前記浄化槽または育成槽に戻す濾過手段とを備えるものとする。【００１０】
このような構成によると、エアレーション装置により浄化槽内に供給された空気により、フローティング瀘材は、浄化槽内において上昇、攪拌され、浄化槽内の飼育水は効率よく浄化され、またこのときに浄化槽内において上昇させられた清浄化された飼育水が、仕切壁の上部の開口より育成槽内の上部に流出し、そこから育成槽の対向壁に沿って下降した後、育成槽の傾斜した底面に沿って斜め下向きに流下し、仕切壁の下部の開口より浄化槽内に進入して、浄化槽内と育成槽内とを連続して効率よく循環させられる。この飼育水の循環は、エアレーション装置により供給される空気のみによって引き起こされ、エア源以外の特別な動力を用いる必要はない。
また、育成槽の底面に堆積した魚介類の糞や残餌等のスラジは、飼育水の循環によって、育成槽の傾斜した底面に沿って、浄化槽の底部まで斜め下向きに流下させられ、浄化槽の底部において、エアリフト装置により、飼育水とともに吸い上げられ、その後、濾過手段を通過する際に、飼育水から除去され、飼育水の浄化が促進される。濾過手段を通過することにより、スラジが除去されて清浄化された飼育水は、浄化槽内に戻される。
さらに、エアレーション装置とエアリフト装置とにより飼育水に供給される空気により、飼育水に酸素が供給されるとともに、それらの空気の熱によって、飼育水は、徐々に加温される。
より積極的に飼育水の温度を上昇させたい場合には、エアレーション装置およびエアリフト装置に供給する空気をヒータ（発明の構成要件外）により加熱するようにしてもよい。【００１１】
（２）上記（１）項において、濾過手段を、堆積したスラジが、傾斜に沿って落下するようにした傾斜式フィルタを備えるものとする。【００１２】
このような構成によると、特別な動力を用いることなく、飼育水やスラジの自然落下力のみを利用して、飼育水からスラジを連続的に除去することができる。【００１３】
（３）上記（１）または（２）項において、濾過手段を、エアリフト装置におけるエアリフト管の上端に接続した水平管より下方、かつ浄化槽内の水位より上方に配設し、前記エアリフト管より吸い上げたスラジを含む飼育水を、水平管より前記濾過手段に自然落下により供給し、前記濾過手段においてスラジが除去された飼育水を、浄化槽内に自然落下により供給するようにする。【００１４】
このような構成によると、特別な動力を用いることなく、飼育水の自然落下力のみを利用して、スラジが除去された飼育水を、浄化槽内に戻すことができる。【００１５】
（４）上記（１）〜（３）項のいずれかにおいて、濾過手段に、スラジが除去された飼育水を殺菌する殺菌装置を設ける。【００１６】
このような構成によると、飼育水からスラジを除去するだけでなく、スラジが除去された飼育水を殺菌することができ、飼育する水産物の病気を予防することができる。【００１７】
（５）上記（１）〜（４）項のいずれかにおいて、浄化槽内におけるエアリフト管の下端より上方に、前記エアリフト管が貫通し、かつ外側方に向かって下向き傾斜する瀘材架台を配設し、前記瀘材架台の外端と浄化槽の内面との間に、フローティング瀘材が通過するのを阻止しうる程度の網目としたネットを架設する。【００１８】
このような構成によると、浄化槽内において浮遊するフローティング瀘材が沈降したとき、瀘材架台の傾斜面に沿って外下方に流下した後、その外側のネットを通って上昇する飼育水流によって上昇させられるので、フローティング瀘材が瀘材架台上に堆積することがない。【００１９】
（６）上記（１）〜（５）項のいずれかにおいて、浄化槽内および／または育成槽内に、槽内を複数の小室に区分する１枚または複数の仕切板を設ける。【００２０】
このような構成によると、水産物を、その種類や生育段階の相違によって区分して育成することができる。
【発明の効果】
【００２１】
本発明によると、エア源以外の動力を一切使用することなく、飼育水を効率よく循環させることができるとともに、飼育水の浄化、酸素供給、および飼育水の加温を、効率よく行うことができ、もって上記の４つの要素をすべて満足しうるようにした水産物の養殖装置を提供することができる。
【図面の簡単な説明】
【００２２】
【図１】本発明の水産物の養殖装置の一実施形態の平面図である。
【図２】図１のII−II線における縦断正面図である。
【図３】図１のIII−III線における拡大縦断側面図である。
【図４】図１のIV−IV線における拡大縦断側面図である。
【発明を実施するための形態】
【００２３】
以下、本発明の水産物の養殖装置の一実施形態を、図面に基づいて説明する。
この水産物の養殖装置は、上面が開口する左右方向に長い直方体状をなし、底面１ａの中央に、左右方向に連続するスラジ溜り用の凹溝２が設けられた浄化槽１と、浄化槽１の前後に配設され、底面３ａが、浄化槽１の底面１ａに向かって下向き傾斜する前後１対の育成槽３、３とを備えている。
【００２４】
浄化槽１と、各育成槽３との間には、左右方向を向く仕切壁４が設けられ、浄化槽１内には、前後方向を向く１枚または複数の仕切板５が、また各育成槽３内には、前後方向を向く１枚または複数の仕切板６が、それぞれ設けられている。
仕切板５と仕切板６の数および配置は、互いに対応させることが多いが、必ずしも対応させる必要はない。
【００２５】
仕切板５、６は、水産物の種類や生育段階の相違によって区分して育成するために、浄化槽１および育成槽３を複数の小室に区分するためのものであり、液密性の材料により形成してあるが、目的によっては、ネット等の通水性の材料により形成することもある。
【００２６】
各仕切壁４における各仕切板６によって区分された部分ごとの上部と下部には、浄化槽１と各育成槽３との間の飼育水７の流通を可能とする開口８、９が設けられている。
下部の開口９の下端は、浄化槽１の底面１ａと育成槽３の底面３ａとが同一面となって連続する部分まで到達し、育成槽３の底面３ａ上に堆積した魚の残餌や糞などのスラジ１０が、開口９を通って、浄化槽１の底面１ａへ円滑に流下するようにするのが好ましい。
各開口８、９には、ネット１１がそれぞれ設けられている。
【００２７】
浄化槽１内における下部の開口９より上方の部分における前後方向の中央部には、  左右方向に延び、かつ中央部から前後両側方に下向き傾斜する上向き凸型の円弧状、または山形とした瀘材架台１２が配設され、この瀘材架台１２の前端および後端と、それに対向する浄化槽１の内面、すなわち仕切壁４の内面との間には、ネット１３が張設されている。
【００２８】
浄化槽１内における仕切板５によって区分された各小室ごとの前後のネット１３、１３の下方には、エアレーション装置１４の主要部をなす、左右方向を向く２本の散気管１５、１５が設けられている。
各散気管１５は、エア供給管１６を介して、エア源１７に接続されている。
【００２９】
浄化槽１内における仕切板５によって区分された各小室ごとの瀘材架台１２より上方の領域には、ネット１１、１３の目より粗いフローティング瀘材１８が、飼育水７内に浮遊するようにして収容されている。
フローティング瀘材１８は、例えば、株式会社アイ・エム・ティー社（東京都新宿区三栄町８番地）の製品番号LSB2.5〜LSB35-2、または上記特許文献４に記載されているバイオフィルタのように、微生物が付着し易いように表面に多数の突起を設けた小型軽量の合成樹脂材料からなる流動担体瀘材、またはその他の公知のフローティング瀘材とすることができる。
【００３０】
仕切板５によって区分された浄化槽１における各小室の中央部には、エアリフト装置１９がそれぞれ設けられている。
各エアリフト装置１９は、図４に示すように、瀘材架台１２の中央部を貫通するようにして、浄化槽１の底面１ａ上に立設された保護筒２０と、この保護筒２０の内面より求心方向を向く複数の腕杆２１をもって、保護筒２０の中央に位置するように保持され、かつ下端が浄化槽１の底面１ａにおける凹溝２内に嵌合されるか、または底面１ａ近くに達するようにしたエアリフト管２２と、エアリフト管２２の下端より上方の中間部（またはエアリフト管２２の下端部）の外周に円環状に設けられ、内部の空気溜まり２３に導入されたエアを、エアリフト管２２に設けたエア噴出口２４よりエアリフト管２２内に噴出させるエア供給部材２５と、エア源１７とエア供給部材２５とを接続するエア供給管２６とを備えている。
エア噴出口２４、エア供給部材２５、エア供給管２６およびエア源１７により、エアリフト管２２内にエアを供給するエア供給手段２７が形成されている。
【００３１】
各エアリフト管２２の下端には、スラジ１０の吸い込みを容易にするための山形の切欠き２２ａが設けられている。
各エアリフト管２２の上端は、浄化槽１の上方に水平に支持された水平管２８にそれぞれ接続されている。
【００３２】
各エアリフト管２２におけるエア噴出口２４よりエアが供給されることにより、エアリフト管２２内においては、気泡とともに飼育水７が上昇させられ、それに伴って、浄化槽１の底面１ａ、特にその凹溝２内に堆積したスラジ１０も吸い上げられて、水平管２８に供給される。
【００３３】
水平管２８の左右方向の中央部下面には、複数の排出孔２９が左右方向に適宜の間隔をもって設けられており、ここから、各エアリフト管２２より汲み上げられた飼育水７とスラジ１０が、その下方に配設された濾過手段３０に、自然落下により供給されるようになっている。
【００３４】
濾過手段３０は、水平管２８より下方、かつ浄化槽１内の水位より上方に配設した濾過槽３１と、濾過槽３１内を、後方の清浄室３２と前方のスラジ室３３とに仕切る仕切壁３４と、清浄室３２の上方において、スラジ室３３に向かって下向き傾斜するようにして、濾過槽３１の後壁の上部から仕切壁３４の上端にかけて架設され、上面に堆積したスラジ１０が、傾斜に沿ってスラジ室３３に落下するようにした傾斜式フィルタをなすスクリーンネット３５と、上端がスラジ室３３内の所要の高さに開口するようにして濾過槽３１に設けられ、スラジ室３３内に溜まったスラジ１０を濾過槽３１外に排出するスラジ排出管３６と、清浄室３２の底部に設けられ、スクリーンネット３５によりスラジ１０が除去されて、清浄室３２内に溜まった清浄な飼育水７が、一端部上面に設けた取入れ口３７ａより内部に侵入することにより、内部に設けたＵＶ管３７ｂにより殺菌し、出口管３７ｃより濾過槽３１外に排出するようにした紫外線殺菌装置３７と、出口管３７ｃに接続され、出口管３７ｃより排出される清浄な飼育水７を、自然落下により、浄化槽１内の各小室に分配するようにした分配管３８とを備えている。
【００３５】
この濾過手段３０により、水平管２８から供給された飼育水７から、スラジ１０を、特別な動力を使用することなく、連続的に除去することができるとともに、紫外線殺菌装置３７により殺菌し、さらに、それを飼育水の自然落下力のみにより、浄化槽１内に戻すことができる。
【００３６】
浄化槽１における仕切板５によって区分された各小室に配設した各エアレーション装置１４における散気管１５に空気を供給する各エア供給管１６と、各エアリフト装置１９における各エアリフト管２２の上端部と、各エア供給管２６と、分配管３８の各排出口には、それぞれ、開閉弁１６ａ、２２ｂ、２６ａ、３８ａが設けられている。
【００３７】
この水産物の養殖装置は、例えば、サーモン、マス、スズキ等の魚類の養殖に好適に使用することができるが、魚類だけでなく、甲殻類、貝類、その他の水産物の養殖にも使用することができる。
【００３８】
次に、この水産物の養殖装置の作用および取り扱いについて説明する。
最初の作用の説明においては、開閉弁１６ａ、２２ｂ、２６ａ、３８ａはすべて開いているものとして説明する。
浄化槽１内の下部において、エアレーション装置１４における散気管１５、１５より空気が供給されると、気泡がネット１３を通して上昇し、そのときの浄化槽１内の飼育水７の上昇流により、フローティング瀘材１８は上昇、攪拌され、浄化槽１内の飼育水７は効率よく浄化され、またこのときの浄化槽１内において上昇させられ、かつ清浄化された飼育水７は、仕切壁４の上部の開口８より、育成槽３内の上部に流出し、そこから育成槽３の対向壁に沿って下降した後、育成槽の傾斜した底面３ａに沿って斜め下向きに流下し、次いで仕切壁４の下部の開口９より浄化槽１内に進入し、浄化槽１内と育成槽３内とを連続して効率よく循環させられる。
この飼育水７の循環は、エアレーション装置１４により供給される空気のみによって引き起こされ、エア源１７以外の特別な動力を用いる必要はない。
【００３９】
フローティング瀘材１８は、ネット１１、１３の目より粗いので、浄化槽１から育成槽３へ流出したり、浄化槽１内のネット１３より下方の領域に侵入したりすることはない。
また、瀘材架台１２上に沈降したフローティング瀘材１８は、瀘材架台１２の下向き傾斜に沿って、ネット１３に向かって流下させられるので、瀘材架台１２上に堆積することはない。
【００４０】
各育成槽３内の底面３ａ上に堆積したスラジ１０は、その底面３ａの傾斜に沿って、浄化槽１に向かって流下し、開口９を通って、浄化槽１の底面１ａ、特にその凹溝２に堆積する。
この浄化槽１の底部に堆積したスラジ１０は、仕切板５によって区分された浄化槽１における各小室ごとに設けられた各エアリフト装置１９により、飼育水７とともに吸い上げられる。
【００４１】
すなわち、各エアリフト管２２におけるエア噴出口２４よりエアが供給されることにより、エアリフト管２２内においては、気泡とともに飼育水７が上昇させられ、それに伴って、浄化槽１の底面１ａ、特にその凹溝２内に堆積したスラジ１０も吸い上げられて、水平管２８に供給される。
【００４２】
水平管２８に供給された飼育水７とスラジ１０は、水平管２８中央部下面に設けられた複数の排出孔２９から、濾過手段３０に、自然落下により供給される。
【００４３】
濾過手段３０においては、飼育水７とスラジ１０は、スクリーンネット３５上に自然落下し、飼育水７のみがスクリーンネット３５を通過して、清浄室３２に貯留され、スラジ１０は、スクリーンネット３５の傾斜に沿って、スラジ室３３に向かって漸次押し流され、スラジ室３３にスラジ１０がある程度溜まると、スラジ１０は、スラジ排出管３６の上端よりスラジ排出管３６内に自然落下し、濾過槽３１外に排出される。
【００４４】
清浄室３２に貯留された飼育水７の液位がある程度上昇すると、飼育水７は、紫外線殺菌装置３７の取入れ口３７ａより紫外線殺菌装置３７内に自然落下し、そこでＵＶ管３７ｂの照射を受けて殺菌され、その後、出口管３７ｃより、分配管３８を経て、浄化槽１内の各小室に自然落下により分配される。
【００４５】
このエアリフト装置１９によるスラジ１０とその周辺の飼育水７の吸い上げから、その後の濾過手段３０におけるスラジ１０の除去および殺菌の工程においても、エア源１７以外の動力を何ら使用することなく（より正確には、ＵＶ管３７ｂの点灯のための電力を使用するだけで）、飼育水７やスラジ１０の自然落下を利用して、作業を連続して行うことができる。
【００４６】
さらに、エアレーション装置１４とエアリフト装置１９とにより飼育水７に供給される空気により、飼育水７に酸素が供給されるとともに、それらの空気の熱によって、飼育水７は、徐々に加温される。従って、寒冷地において好適に実施することができる。
より積極的に飼育水７の温度を上昇させたい場合は、エアレーション装置１４およびエアリフト装置１９に供給する空気をヒータにより加熱するようにしてもよい。
【００４７】
以上の説明では、開閉弁１６ａ、２２ｂ、２６ａ、３８ａはすべて開いているものとして説明したが、これらを開閉制御することにより、浄化槽１における仕切板５によって区分された各小室に、個別に浄化処理を行うこともできる。
【００４８】
例えば、各エアレーション装置１４における散気管１５に空気を供給する各エア供給管１６に設けた開閉弁１６ａを互いに独立して開閉することによって、各小室のエアレーション装置１４による浄化および飼育水７の循環を、選択的に休止したり、作動させたりすることができる。
【００４９】
また、各エアリフト装置１９における各エアリフト管２２の上端と、各エア供給管２６と、各分配管３８のそれぞれに設けた開閉弁２２ｂ、２６ａ、３８ａを互いに独立して開閉することによって、各小室のエアリフト装置１９の作動を休止させたり、その小室への濾過手段３０により浄化された飼育水７の供給を休止させたりすることができる。
【００５０】
さらに、これらの開閉弁２２ｂ、２６ａ、３８ａを開閉制御することにより、浄化槽１における各小室のスラジ除去および殺菌作業を、１個ずつバッチ方式で行うこともできる。
【００５１】
本発明は、上記実施形態のみに限定されるものではなく、特許請求の範囲を逸脱することなく、例えば、次のような幾多の変形した態様での実施が可能である。
（１）  浄化槽１の両側方に配設した育成槽３、３のいずれか一方を省略して実施する。
（２）  仕切板５によって区分された浄化槽１内の各小室毎の上方に濾過手段３０をそれぞれを設け、各小室に設けたエアリフト装置１９におけるエアリフト管２２の上端を倒立Ｌ字状または倒立Ｕ字状に折曲して、その先端から各濾過手段３０における瀘過槽３１内にスラジ１０と飼育水７とを供給するようにし、その濾過手段３０における紫外線殺菌装置３７の出口管３７ｃから流下する浄化された飼育水７をその小室に直接供給するようにして、各小室を互いに独立して浄化するようにする。
（３）  濾過手段３０により瀘過されて清浄化された飼育水７を、浄化槽１ではなく、育成槽３に戻すようにする。
（４）  仕切板５、６をすべて省略する。
（５）  エアレーション装置１４および／またはエアリフト装置１９に供給するエア源１７からの空気を、ヒータ（図示略）により加熱する。すなわち、エア供給管１６および／またはエア供給管２６の途中に、ヒータを設ける。
（６）  殺菌装置として、紫外線殺菌装置３７以外の公知の殺菌装置を採用する。
【符号の説明】
【００５２】
１  浄化槽
１ａ底面
２  凹溝
３  育成槽
３ａ底面
４  仕切壁
５、６  仕切板
７  飼育水
８、９  開口
１０  スラジ
１１  ネット
１２  瀘材架台
１３  ネット
１４  エアレーション装置
１５  散気管
１６  エア供給管
１６ａ開閉弁
１７  エア源
１８  フローティング瀘材
１９  エアリフト装置
２０  保護筒
２１  腕杆
２２  エアリフト管
２２ａ切欠き
２２ｂ開閉弁
２３  空気溜まり
２４  エア噴出口
２５  エア供給部材
２６  エア供給管
２６ａ開閉弁
２７  エア供給手段
２８  水平管
２９  排出孔
３０  濾過手段
３１  濾過槽
３２  清浄室
３３  スラジ室
３４  仕切壁
３５  スクリーンネット（傾斜式フィルタ）
３６  スラジ排出管
３７  紫外線殺菌装置
３７ａ取入れ口
３７ｂＵＶ管
３７ｃ出口管
３８  分配管
３８ａ開閉弁
【図１】
2016163006.tif 000003
【図２】
2016163006.tif 000004
【図３】
2016163006.tif 000005
【図４】
2016163006.tif 000006
【国際調査報告】
2016163006.tif 000007
2016163006.tif 000008
2016163006.tif 000009
2016163006.tif 000010